(57)【特許請求の範囲】
【請求項１】
報知すべき情報の概要及び内容のうち少なくとも一つを含む画像を表示することを予め報知するための記号を表示部に表示させ、
前記記号が表示されてから前記画像が表示されるまでの間に操作部に対して所定の操作が行われると、前記画像を表示させず、
前記記号が表示されてから前記画像が表示されるまでの間に前記操作部に対して前記所定の操作が行われないと、前記記号の表示を開始した位置に前記画像の少なくとも一部を重ねて表示させる制御部を備える電子機器。
【請求項２】
前記制御部は、
前記記号の表示態様を時間の経過に応じて変化させる請求項１に記載の電子機器。
【請求項３】
報知すべき情報の内容を含む画像を表示することを予め報知するための記号を表示部に表示させ、
前記記号が表示されてから前記画像が表示されるまでの間に操作部に対して所定の操作が行われると、前記画像を表示させず、
前記記号が表示されてから前記画像が表示されるまでの間に前記操作部に対して前記所定の操作が行われないと、前記記号の表示を開始した位置に前記画像の少なくとも一部を重ねて表示させる制御部を備える電子機器。
【請求項４】
前記制御部は、
前記記号の表示態様を時間の経過に基づき変化させる請求項３に記載の電子機器。
【請求項５】
報知すべき情報の内容を含む画像を表示することを予め報知するための記号を表示部に表示させ、
前記記号の表示を開始した位置に前記画像の少なくとも一部を重ねて表示させる制御部を備え、
前記制御部は、
前記記号が表示されている間に操作部に対して所定の操作が行われると、前記画像を表示させるのを延期する電子機器。
【請求項６】
前記制御部は、
前記記号の表示態様を時間の経過に基づき変化させる請求項５に記載の電子機器。
【請求項７】
報知すべき情報の内容を含む画像を表示することを予め報知するための記号を表示部に表示させ、
前記記号の表示を開始した位置に前記画像の少なくとも一部を重ねて表示させる制御部を備え、
前記制御部は、
前記記号が表示されてから前記画像が表示される間に操作部に対して所定の操作が行われると、前記画像を表示させるのを中止する電子機器。
【請求項８】
前記制御部は、
前記記号の表示態様を時間の経過に基づき変化させる請求項７に記載の電子機器。
【請求項９】
報知すべき情報の内容を含む画像を表示することを予め報知するために、時間の経過に応じて表示態様が変化する記号を表示部に表示させ、
前記記号の表示を開始した位置に前記画像の少なくとも一部を重ねて表示させる制御部を備える電子機器。
【請求項１０】
前記操作部は、カメラ、センサ又はボタンを含む請求項１から８のいずれか一項に記載の電子機器。
【請求項１１】
前記センサは、自機の姿勢又は動きの変化を検出可能なセンサ又は自機に手がかざされたことを検出可能なセンサである請求項１０に記載の電子機器。
【請求項１２】
前記記号は、図形又は文字のうち少なくとも一つを含む請求項１から１１のいずれか一項に記載の電子機器。
【請求項１３】
前記報知すべき情報は、メールに係る情報である請求項１から１２のいずれか一項に記載の電子機器。
【請求項１４】
電子機器によって実行される制御方法であって、
報知すべき情報の概要及び内容のうち少なくとも一つを含む画像を表示することを予め報知するための記号を表示部に表示させるステップと、
前記記号が表示されてから前記画像が表示されるまでの間に操作部に対して所定の操作が行われると、前記画像を表示させないステップと、
前記記号が表示されてから前記画像が表示されるまでの間に前記操作部に対して前記所定の操作が行われないと、前記記号の表示を開始した位置に前記画像の少なくとも一部を重ねて表示させるステップと
を含むことを特徴とする制御方法。
【請求項１５】
電子機器によって実行される制御方法であって、
報知すべき情報の内容を含む画像を表示することを予め報知するための記号を表示部に表示させるステップと、
前記記号が表示されてから前記画像が表示されるまでの間に操作部に対して所定の操作が行われると、前記画像を表示させないステップと、
前記記号が表示されてから前記画像が表示されるまでの間に前記操作部に対して前記所定の操作が行われないと、前記記号の表示を開始した位置に前記画像の少なくとも一部を重ねて表示させるステップと
を含むことを特徴とする制御方法。
【請求項１６】
電子機器によって実行される制御方法であって、
報知すべき情報の内容を含む画像を表示することを予め報知するための記号を表示部に表示させるステップと、
前記記号の表示を開始した位置に前記画像の少なくとも一部を重ねて表示させるステップと、
前記記号が表示されている間に操作部に対して所定の操作が行われると、前記画像を表示させるのを延期するステップと
を含むことを特徴とする制御方法。
【請求項１７】
電子機器によって実行される制御方法であって、
報知すべき情報の内容を含む画像を表示することを予め報知するための記号を表示部に表示させるステップと、
前記記号の表示を開始した位置に前記画像の少なくとも一部を重ねて表示させるステップと、
前記記号が表示されてから前記画像が表示される間に操作部に対して所定の操作が行われると、前記画像を表示させるのを中止するステップと
を含むことを特徴とする制御方法。
【請求項１８】
電子機器によって実行される制御方法であって、
報知すべき情報の内容を含む画像を表示することを予め報知するために、時間の経過に応じて表示態様が変化する記号を表示部に表示させるステップと、
前記記号の表示を開始した位置に前記画像の少なくとも一部を重ねて表示させるステップと
を含むことを特徴とする制御方法。
【請求項１９】
電子機器に、
報知すべき情報の概要及び内容のうち少なくとも一つを含む画像を表示することを予め報知するための記号を表示部に表示させるステップと、
前記記号が表示されてから前記画像が表示されるまでの間に操作部に対して所定の操作が行われると、前記画像を表示させないステップと、
前記記号が表示されてから前記画像が表示されるまでの間に前記操作部に対して前記所定の操作が行われないと、前記記号の表示を開始した位置に前記画像の少なくとも一部を重ねて表示させるステップと
を実行させることを特徴とする制御プログラム。
【請求項２０】
電子機器に、
報知すべき情報の内容を含む画像を表示することを予め報知するための記号を表示部に表示させるステップと、
前記記号が表示されてから前記画像が表示されるまでの間に操作部に対して所定の操作が行われると、前記画像を表示させないステップと、
前記記号が表示されてから前記画像が表示されるまでの間に前記操作部に対して前記所定の操作が行われないと、前記記号の表示を開始した位置に前記画像の少なくとも一部を重ねて表示させるステップと
を実行させることを特徴とする制御プログラム。
【請求項２１】
電子機器に、
報知すべき情報の内容を含む画像を表示することを予め報知するための記号を表示部に表示させるステップと、
前記記号の表示を開始した位置に前記画像の少なくとも一部を重ねて表示させるステップと、
前記記号が表示されている間に操作部に対して所定の操作が行われると、前記画像を表示させるのを延期するステップと
を実行させることを特徴とする制御プログラム。
【請求項２２】
電子機器に、
報知すべき情報の内容を含む画像を表示することを予め報知するための記号を表示部に表示させるステップと、
前記記号の表示を開始した位置に前記画像の少なくとも一部を重ねて表示させるステップと、
前記記号が表示されてから前記画像が表示される間に操作部に対して所定の操作が行われると、前記画像を表示させるのを中止するステップと
を実行させることを特徴とする制御プログラム。
【請求項２３】
電子機器に、
報知すべき情報の内容を含む画像を表示することを予め報知するために、時間の経過に応じて表示態様が変化する記号を表示部に表示させるステップと、
前記記号の表示を開始した位置に前記画像の少なくとも一部を重ねて表示させるステップと
を実行させることを特徴とする制御プログラム。
【発明の詳細な説明】
【技術分野】
【０００１】
本発明は、電子機器、報知制御方法および制御プログラムに関する。
【背景技術】
【０００２】
近年、携帯電話端末等の電子機器は、多機能化し、利用者が電子機器を用いた作業を好適に行うことができるように利用者を支援するようになっている。例えば、特許文献１で開示されている携帯電話端末は、電子メールが受信された場合に、その電子メールの概要を示すメール情報を、表示部の特定領域に表示させる制御を行う。その結果、利用者は、メールの閲覧画面を開くことなく、受信したメールの概要を知ることができる。
【先行技術文献】
【特許文献】
【０００３】
【特許文献１】特開２０１１−７０４９８号公報
【発明の概要】
【発明が解決しようとする課題】
【０００４】
上記の従来技術のように、利用者を支援するために各種の報知を行う場合、報知の仕方によっては、利用者の作業を却って妨げてしまうことがある。例えば、利用者が電子機器を用いた作業を行っている最中に、表示部全体を用いてメールの着信等を報知すると、利用者は実行中の作業を強制的に中断させられてしまう。
【０００５】
本発明は、上記に鑑みてなされたものであって、利用者の作業の妨げとなることを抑止しつつ利用者に情報を報知することができる電子機器、報知制御方法および制御プログラムを提供することを目的とする。
【課題を解決するための手段】
【０００６】
本発明に係る電子機器は、報知を行う報知部と、操作を受け付ける操作部と、前記報知部に第１の情報を報知させた後に第２の情報を報知させる制御部とを備え、前記制御部は、前記第１の情報が報知されてから前記第２の情報が報知されるまでの間、または、前記第２の情報が報知されている間に前記操作部に対して所定の操作が行われたと判定すると、前記第２の情報の報知を抑制する。
【０００７】
また、本発明に係る報知制御方法は、電子機器によって実行される報知制御方法であって、第１の情報を報知するステップと、前記第１の情報が報知された後に第２の情報を報知するステップと、前記第１の情報が報知されてから前記第２の情報が報知されるまでの間、または、前記第２の情報が報知されている間に所定の操作が検出された場合に、前記第２の情報の報知を抑制するステップとを含む。
【０００８】
また、本発明に係る制御プログラムは、電子機器に、第１の情報を報知するステップと、前記第１の情報が報知された後に第２の情報を報知するステップと、前記第１の情報が報知されてから前記第２の情報が報知されるまでの間、または、前記第２の情報が報知されている間に所定の操作が検出された場合に、前記第２の情報の報知を抑制するステップとを実行させる。
【発明の効果】
【０００９】
本発明は、利用者の作業の妨げとなることを抑止しつつ利用者に情報を報知することができるという効果を奏する。
【図面の簡単な説明】
【００１０】
【図１】図１は、第１の実施例に係る携帯電話端末の外観を示す正面図である。
【図２】図２は、第１の実施例に係る携帯電話端末の機能的な構成を示すブロック図である。
【図３】図３は、メールの着信時に実行される報知の一例を示す図である。
【図４】図４は、事前報知の他の例を示す図である。
【図５】図５は、事前報知の他の例を示す図である。
【図６】図６は、スクロールしている表示の他の例を示す図である。
【図７】図７は、事前報知の他の例を示す図である。
【図８】図８は、報知を中止または延期する操作の一例を示す図である。
【図９】図９は、表示のスクロールが開始された後に報知を中止または延期する操作の一例を示す図である。
【図１０】図１０は、スクロール表示のスクロールが開始された後に報知を中止または延期する操作の他の例を示す図である。
【図１１】図１１は、緊急度の高いメールの着信時に実行される報知の一例を示す図である。
【図１２】図１２は、第１の実施例における報知処理の処理手順を示すフローチャートである。
【図１３】図１３は、報知情報の表示中に検出される他の操作の一例を示す図である。
【図１４】図１４は、事前報知中に検出される他の操作の一例を示す図である。
【図１５】図１５は、緊急度の高い情報の報知を中止または延期する操作の一例を示す図である。
【図１６】図１６は、第２の実施例に係る携帯電話端末の機能的な構成を示すブロック図である。
【図１７】図１７は、第２の実施例における報知処理の処理手順を示すフローチャートである。
【図１８】図１８は、第３の実施例に係る携帯電話端末の機能的な構成を示すブロック図である。
【図１９】図１９は、音楽データの再生中に実行される報知の一例を示す図である。
【図２０】図２０は、第４の実施例に係る携帯電話端末の機能的な構成を示すブロック図である。
【図２１】図２１は、メールの着信時に実行される報知の一例を示す図である。
【発明を実施するための形態】
【００１１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器の一例として携帯電話端末について説明するが、本発明の適用対象は携帯電話端末に限定されるものではなく、例えば、ＰＨＳ（Personal  Handy-phone  System）、ＰＤＡ（Personal  Digital  Assistant）、ポータブルナビゲーション装置、パソコン、ゲーム機等に対しても本発明は適用できる。
【実施例１】
【００１２】
まず、図１および図２を参照しながら、第１の実施例に係る携帯電話端末（電子機器）１の構成について説明する。図１は、携帯電話端末１の外観を示す正面図である。図２は、携帯電話端末１の機能的な構成を示すブロック図である。
【００１３】
図１および図２に示すように、携帯電話端末１は、操作部１３と、マイク１５と、レシーバ１６と、制御部２２と、記憶部２４と、通信部２６と、音声処理部３０と、タッチパネル３２とを有する。この携帯電話端末１は、操作部１３、マイク１５、レシーバ１６、およびタッチパネル３２の各々の一部が正面に露出する。
【００１４】
操作部１３は、ボタン１３ａおよびボタン１３ｂを有し、押下されたボタンに対応する信号を制御部２２へ出力する。操作部１３が制御部２２へ出力する信号は、利用者が携帯電話端末１に対してどのような操作を行ったかを制御部２２が判定するために用いられる。すなわち、操作部１３は、利用者の操作を受け付ける操作部として機能する。操作部１３から入力される信号に基づいて制御部２２が判定（検出）する操作には、短押下、長押下およびダブルクリック等が含まれる。なお、図１に示す例では、操作部１３は２つのボタンを有しているが、操作部１３が有するボタンの数は任意でよい。
【００１５】
マイク１５は、外部から音声を取得する。レシーバ１６は、外部に音声を出力する。音声処理部３０は、マイク１５から入力される音声をデジタル信号化して制御部２２へ出力する。また、音声処理部３０は、制御部２２から入力されるデジタル信号を復号してレシーバ１６へ出力する。
【００１６】
通信部２６は、アンテナ２６ａを有し、基地局によって割り当てられるチャネルを介して、基地局との間に無線信号回線を確立する。通信部２６は、基地局との間に確立された無線信号回線を通じて、他の装置との間で電話通信および情報通信を行う。無線通信の通信方式としては、ＣＤＭＡ（Code  Division  Multiple  Access）、およびＦＤＭＡ（Frequency  Division  Multiple  Access）等の各種の方式がある。
【００１７】
タッチパネル３２は、文字、図形、画像等の各種の情報を表示する第１の機能を有する。タッチパネル３２は、表示されたアイコン、ボタン、文字入力領域等の所定領域に対する接触を検出する第２の機能を有する。タッチパネル３２は、表示部３２ａと、タッチセンサ３２ｂとを重畳して構成される。この表示部３２ａとタッチセンサ３２ｂとは、構成材料の一部を共有することが可能である。
【００１８】
表示部３２ａは、液晶ディスプレイ（Liquid  Crystal  Display）、有機ＥＬ（Organic  Electro−Luminescence  panel）パネル、または無機ＥＬパネル（Inorganic  Electro−Luminescence  panel）等の表示装置を備える。表示部３２ａは、制御部２２から入力される制御信号に従って各種の情報を表示する。表示部３２ａは、利用者に情報を報知するための報知部としても利用される。
【００１９】
タッチセンサ３２ｂは、タッチパネル３２の表面に対する接触を検出し、検出した接触に応じた信号（例えば、接触の位置および押圧の少なくとも１つを示す信号）を制御部２２へ出力する。タッチセンサ３２ｂが制御部２２へ出力する信号は、利用者が携帯電話端末１に対してどのような操作（ジェスチャ）をどの位置で行ったかを制御部２２が判定するために用いられる。すなわち、タッチセンサ３２ｂは、利用者の操作を受け付ける操作部として機能する。タッチセンサ３２ｂが接触を検出する方式は、静電容量方式、抵抗膜方式、表面弾性波方式（または超音波方式）、赤外線方式、電磁誘導方式、および荷重検出方式等の任意の方式でよい。タッチセンサ３２ｂによって検出される接触に基づいて制御部２２が判定（検出）する操作には、タップ操作、ダブルタップ操作、ロングタップ操作、スイープ（スワイプ）操作、およびフリック操作等が含まれる。
【００２０】
タップ操作とは、指をタッチパネル３２に接触させた後すぐにタッチパネル３２から離す操作である。ダブルタップ操作とは、指をタッチパネル３２に接触させた後すぐにタッチパネル３２から離す動作を２回繰り返す操作である。ロングタップ操作とは、指をタッチパネル３２に接触させ、指がタッチパネル３２に接触した状態を一定時間保った後に指をタッチパネル３２から離す操作である。スイープ操作とは、指をタッチパネル３２に接触させたままで移動させる操作である。スイープ操作は、タッチパネル３２に表示されている何らかのオブジェクトがその操作に追随して移動する場合、ドラッグ操作と呼ばれることがある。フリック操作とは、指をタッチパネル３２に接触させた後、素早く払うように指を一方方向に高速で移動させながら指を離す操作である。
【００２１】
制御部２２は、演算手段であるＣＰＵ（Central  Processing  Unit）と、記憶手段であるメモリとを備える。制御部２２は、これらのハードウェア資源を用いてプログラムを実行することによって各種の機能を実現する。具体的には、制御部２２は、記憶部２４に記憶されているプログラムまたはデータを読み出してメモリに展開し、メモリに展開されたプログラムに含まれる命令をＣＰＵに実行させる。そして、制御部２２は、ＣＰＵによる命令の実行結果に応じて、メモリおよび記憶部２４に対してデータの読み書きを行ったり、通信部２６および表示部３２ａ等の動作を制御したりする。ＣＰＵが命令を実行するに際しては、メモリに展開されているデータおよびタッチセンサ３２ｂ等から入力される信号がパラメータ判定条件の一部として利用することが可能である。例えば、制御部２２は、操作部１３から入力される信号に基づいて、どのボタンに対してどのような操作が行われたかを判定し、判定結果に応じた処理を実行する。例えば、制御部２２は、タッチセンサ３２ｂから入力される信号に基づいて、タッチセンサ３２ｂに対してどのような操作（ジェスチャ）が行われたかを判定し、判定結果に応じた処理を実行する。
【００２２】
記憶部２４は、各種のプログラムおよびデータを記憶する記憶装置を含む。本実施形態では、フラッシュメモリ等の不揮発性の記憶装置として採用している。この不揮発性の記憶装置と併せて、ＤＲＡＭ等の揮発性の記憶装置を採用することが可能である。記憶部２４に記憶されるプログラムには、制御プログラム２４ａと、メールプログラム２４ｂと、ブラウザプログラム２４ｃとが含まれる。なお、記憶部２４は、メモリカード等の可搬の記憶媒体と、記憶媒体に対して読み書きを行う読み書き装置との組み合わせによって構成されてもよい。この場合、制御プログラム２４ａ、メールプログラム２４ｂ、およびブラウザプログラム２４ｃは、記憶媒体に記憶される。また、制御プログラム２４ａ、メールプログラム２４ｂ、およびブラウザプログラム２４ｃは、通信部２６による無線通信によってサーバ装置等の他の装置から取得することとしてもよいし、当該プログラムの一部のみを他の装置から取得することとしてもよい。
【００２３】
制御プログラム２４ａは、携帯電話端末１を稼働させるための各種制御に関する機能を提供する。制御プログラム２４ａが提供する機能には、利用者に対する各種情報の報知を制御する機能が含まれる。メールプログラム２４ｂは、電子メール機能を提供する。ブラウザプログラム２４ｃは、ＷＥＢブラウザ機能を提供する。
【００２４】
次に、図３から図１１を参照しながら、制御プログラム２４ａが提供する報知機能に基づいて実行される各種情報の報知の例について説明する。図３は、メールの着信時に実行される報知の一例を示す図である。図３に示すステップＳＡ１では、ブラウザプログラム２４ｃが提供する機能に基づくブラウザ画面がタッチパネル３２に表示されている。すなわち、ステップＳＡ１の場面では、利用者によって携帯電話端末１がＷＥＢページの閲覧のために利用されている。
【００２５】
ここで、携帯電話端末１にメールが着信すると、携帯電話端末１は、ステップＳＡ２に示すように、タッチパネル３２の上部に設けられている通知領域に着信記号Ｓ１を表示する。さらに、携帯電話端末１は、タッチパネル３２の一部、例えば、タッチパネル３２の右端に報知記号（第１の情報）Ｎ１を表示する。報知記号Ｎ１は、これから詳細な報知が行われることを利用者に事前に報知するために表示される。
【００２６】
続いて、携帯電話端末１は、ステップＳＡ３からステップＳＡ５に示すように、着信したメールの送信者および件名を含む報知情報（第２の情報）Ｎ２を、例えば、右から左へスクロールさせる。報知情報Ｎ２は、１回だけスクロールしてもよいし、予め決められた回数だけ繰り返してスクロールしてもよいし、利用者による所定の操作が検出されるまで繰り返しスクロールしてもよい。
【００２７】
なお、本実施形態では、報知情報Ｎ２として、左から右に読む文章を採用したため、スクロール方向を右から左としている。また、本実施形態では、報知情報Ｎ２として表示する情報量が多い場合を想定して、報知情報Ｎ２をスクロールさせる方式を採用している。報知情報Ｎ２の情報量が少ない場合は、スクロールさせずに表示画面に表示させ続ける方式を採用してもよい。また、本実施形態では、報知情報Ｎ２の報知領域を報知情報Ｎ２と同時にスクロールさせている。この報知領域は、報知情報Ｎ２のスクロールに先立ってスクロールさせてもよい。また、報知領域の表示方法としては、スクロール以外にも、フェードインおよびワイプインを含む種々方法が採用可能である。
【００２８】
このように、報知記号Ｎ１による事前報知を行った後に報知情報Ｎ２を表示することにより、利用者は、報知情報Ｎ２が表示されることを事前に知ることができるため、報知情報Ｎ２を見落としにくくなる。また、報知情報Ｎ２をスクロールすることにより、携帯電話端末１は、利用者によるＷＥＢページの閲覧を極力妨害することなく、単に着信記号Ｓ１を表示するよりも詳細に、報知すべき内容を利用者に伝えることができる。
【００２９】
携帯電話端末１は、利用者が参照中の情報をさえぎらないように、報知記号Ｎ１をタッチパネル３２の端部に表示することが可能である。また、携帯電話端末１は、利用者に事前報知を認識させるため、報知記号Ｎ１を認識しやすい態様で、所定時間以上（例えば、５秒程度）表示することが可能である。報知記号Ｎ１を認識しやすくするために、携帯電話端末１は、報知記号Ｎ１を高い輝度または彩度で表示させてもよいし、報知記号Ｎ１を点滅させてもよい。また、携帯電話端末１は、事前報知のために、報知情報Ｎ２がスクロールされる領域全体を明るくしたり、色を変えたり、点滅させたりしてもよい。
【００３０】
また、携帯電話端末１は、図４のステップＳＢ１からステップＳＢ４における報知記号Ｎ１ａ、Ｎ１ｂ、Ｎ１ｃ、およびＮ１ｄのように、報知記号の表示を時間の経過とともに変化させ、変化が終了した後に報知情報Ｎ２のスクロールを開始してもよい。このように報知記号Ｎ１の変化を制御することにより、利用者は、報知記号Ｎ１の外見から、報知情報Ｎ２のスクロールがいつ開始されるかを容易に予測することができる。
【００３１】
また、携帯電話端末１は、報知記号Ｎ１を表示する位置を報知情報Ｎ２のスクロールを開始する位置と一致させることが可能である。報知記号Ｎ１の表示位置を報知情報Ｎ２のスクロールの開始位置と一致させることにより、利用者は、報知記号Ｎ１を目で確認した後に、視線を移動させることなく報知情報Ｎ２をスクロールの開始時から見ることができる。スクロールの開始位置を明示するため、報知記号を図５に示す報知記号Ｎ１ｅのように矢印として表示してもよい。なお、図６のステップＳＣ１からステップＳＣ３に示すように、報知記号Ｎ１の表示位置を報知情報Ｎ２のスクロールの開始位置と異ならせてもよい。また、このスクロール開始位置は、報知情報Ｎ１をドラッグ操作で移動させて任意の位置に移動させてもよい。このように、任意の位置に移動させることによって、利用者によるＷＥＢページの閲覧を極力妨害することなく、報知すべき内容を利用者に伝えることができる。
【００３２】
また、携帯電話端末１は、通知の種類または緊急度に応じて、報知記号Ｎ１および報知情報Ｎ２の表示位置および表示態様の少なくとも一方を変更することが可能である。例えば、図７に示す例では、携帯電話端末１は、通常のメールの着信を示す報知記号Ｎ１ｆを黒い背景で表示し、緊急度の高いメールの着信を示す報知記号Ｎ１ｇを報知記号Ｎ１ｆよりも下の位置に白い背景で表示している。このように、通知の種類または緊急度に応じて報知記号Ｎ１および報知情報Ｎ２の表示位置および表示態様の少なくとも一方を変更することにより、利用者は、報知情報Ｎ２の内容を読まなくても、報知情報Ｎ２の概要を知ることができる。なお、メールの送信元またはメールの振り分けルールに基づくメールの格納先のフォルダに応じて報知記号Ｎ１および報知情報Ｎ２の表示位置および表示態様の少なくとも一方を変更してもよい。
【００３３】
携帯電話端末１は、報知情報Ｎ２の表示を抑制することもできる。本実施形態の携帯電話端末１では、報知情報Ｎ２の表示を抑制する方法として、報知情報Ｎ２の表示を中止または延期している。報知情報Ｎ２の表示を抑制する他の方法としては、例えば報知情報Ｎ２を透過表示する方法、報知情報Ｎ２を縮小表示する方法が挙げられる。図８は、報知情報Ｎ２の表示を中止または延期する操作の一例を示す図である。図８に示すステップＳＤ１では、ブラウザ画面がタッチパネル３２に表示されている。ここで、携帯電話端末１にメールが着信すると、携帯電話端末１は、ステップＳＤ２に示すように、タッチパネル３２の端部に報知記号Ｎ１を表示する。
【００３４】
利用者は、報知記号Ｎ１に気付いたが報知情報Ｎ２の表示を希望しない場合、ステップＳＤ３に示すように、指Ｆ１で報知記号Ｎ１の表示位置をタップする。携帯電話端末１は、報知記号Ｎ１の表示位置でのタップ操作が検出されると、報知情報Ｎ２の表示を中止または延期する。その結果、ステップＳＤ４に示すように、報知記号Ｎ１が消えた後に報知情報Ｎ２は表示されない。
【００３５】
このように、報知情報Ｎ２の表示を中止または延期することにより、利用者が情報の閲覧等に集中している最中に、報知情報Ｎ２が妨げとなることを低減できる。報知情報Ｎ２の表示が延期された場合、例えば、利用者が予め設定した時間が経過した後に、再び報知記号Ｎ１が表示される。延期後に報知記号Ｎ１を表示する場合、一旦延期されたことを利用者が認識できるように、報知記号Ｎ１の表示態様または表示位置を最初のときと変更することも可能である。
【００３６】
なお、タップではなく、ダブルタップ、ロングタップ、またはフリック等の他の操作が報知記号Ｎ１の表示位置で検出された場合に、携帯電話端末１が報知情報Ｎ２の表示を中止または延期することとしてもよい。このように単なるタップよりも複雑な操作を要件とすることにより、誤操作によって報知情報Ｎ２の表示が中止または延期されることを低減できる。また、報知記号Ｎ１の表示中に報知記号Ｎ１の表示位置以外でタップ等が検出された場合に、携帯電話端末１が報知情報Ｎ２の表示を中止または延期してもよい。
【００３７】
また、報知情報Ｎ２の表示を中止するか延期するかについては、予め利用者が行った設定に基づいていずれか一方に決定してもよい。あるいは、報知記号Ｎ１の表示位置でタップが検出された場合は報知情報Ｎ２の表示を延期し、ダブルタップが検出された場合は表示を中止するというように、検出された操作の種類に応じて動作を変更してもよい。あるいは、最初に報知記号Ｎ１の表示位置でタップが検出された場合は報知情報Ｎ２の表示を延期し、延期後に報知記号Ｎ１の表示位置でタップが検出された場合は表示を中止するというように、操作が行われた回数に応じて動作を変更してもよい。
【００３８】
また、携帯電話端末１は、報知記号Ｎ１の表示中に所定の操作が検出された場合に、報知情報Ｎ２のスクロールを即座に開始してもよい。このように、利用者の操作に基づいて報知情報Ｎ２のスクロールを即座に開始することにより、利用者は、スクロールが開始されるまでの待機時間を短くすることができる。例えば、報知情報Ｎ２のスクロール方向へのフリックまたはスイープが検出された場合に報知情報Ｎ２のスクロールを即座に開始させることにより、直感的な操作性を実現することができる。
【００３９】
また、携帯電話端末１は、報知記号Ｎ１の表示中に所定の操作が検出された場合に、報知情報Ｎ２と対応する処理を実行してもよい。例えば、報知情報Ｎ２がメールの着信を報知するための情報であれば、携帯電話端末１は、報知記号Ｎ１の表示中に所定の操作が検出された場合に、着信したメールの閲覧画面をタッチパネル３２に表示してもよい。このように、利用者の操作に基づいて報知情報Ｎ２と対応する情報を表示することにより、報知の目的が早期に達成される。
【００４０】
携帯電話端末１は、報知情報Ｎ２のスクロールが開始された後に、報知情報Ｎ２の表示を中止または延期することもできる。図９は、報知情報Ｎ２のスクロールが開始された後に、報知情報Ｎ２の表示を中止または延期する操作の一例を示す図である。図９に示すステップＳＥ１では、ブラウザ画面がタッチパネル３２に表示されている。ここで、携帯電話端末１にメールが着信すると、携帯電話端末１は、ステップＳＥ２に示すように、タッチパネル３２の端部に報知記号Ｎ１を表示する。そして、所定の時間の経過後、ステップＳＥ３に示すように、携帯電話端末１は、報知記号Ｎ１を消去し、報知情報Ｎ２のスクロールを開始する。
【００４１】
利用者は、報知情報Ｎ２の表示を希望しない場合、または、報知情報Ｎ２を途中まで見て報知は不要と判断した場合、ステップＳＥ４に示すように、指Ｆ１を使って、報知情報Ｎ２の表示領域内でスクロール方向とは逆方向にスイープを行う。携帯電話端末１は、報知情報Ｎ２の表示領域内で逆方向のスイープが検出されると、スクロールを中止または延期する。その結果、ステップＳＥ５に示すように、報知情報Ｎ２は消去される。携帯電話端末１は、逆方向のスイープが検出されている間、指Ｆ１の動きに合わせて報知情報Ｎ２を逆方向へスクロールしてもよい。
【００４２】
なお、スクロール方向と逆方向のスイープではなく、他の操作が検出された場合に、携帯電話端末１が報知情報Ｎ２の表示を中止または延期することとすることも可能である。例えば、報知情報Ｎ２の表示領域で図１０に示すステップＳＦ４のようにスクロール方向と別方向へのフリックが検出された場合に、携帯電話端末１が報知情報Ｎ２のスクロールを中止または延期することとしてもよい。また、報知情報Ｎ２の表示領域でロングタップが検出された場合に、携帯電話端末１が報知情報Ｎ２のスクロールを中止または延期することとしてもよい。このようなスクロールを妨げるような操作は、スクロールを停止させるための操作として直感的である。なお、報知情報Ｎ２の表示領域以外の領域でスクロール方向とは別方向へのスイープ等が検出された場合に、スクロールを中止または延期させてもよい。
【００４３】
また、スクロール開始後の報知情報Ｎ２の表示を中止するか延期するかについては、予め利用者が行った設定に基づいていずれか一方に決定してもよい。あるいは、報知情報Ｎ２の表示領域でスクロール方向と逆方向へのスイープが検出された場合は表示を延期し、スクロール方向に交わる方向へのフリックが検出された場合は表示を中止するというように、検出された操作の方向または種類に応じて動作を変更してもよい。なお、スクロール方向に交わる方向へのフリック操作を採用する場合は、操作方向を表示画面の外側へ向かう方向とすることで、より直感的な操作を提供できる。
【００４４】
また、携帯電話端末１は、報知情報Ｎ２のスクロール中に所定の操作が検出された場合に、報知情報Ｎ２と対応する処理を実行してもよい。例えば、報知情報Ｎ２がメールの着信を報知するための情報であれば、携帯電話端末１は、報知情報Ｎ２のスクロール中に所定の操作が検出された場合に、着信したメールの閲覧画面をタッチパネル３２に表示してもよい。ここでいう所定の操作は、例えば、報知情報Ｎ２を上下方向に拡げるように２本の指を異なる方向へスイープする操作（ピンチアウト操作）である。この場合、上下方向に拡げられた報知情報Ｎ２が割れて、割れた部分からメールの閲覧画面が現れるように視覚的な演出を施してもよい。また、ここでいう所定の操作は、スクロール方向と略同一方向へのスイープまたはフリックであってもよいし、スクロール方向に交わり且つ表示画面の内側へのスイープまたはフリックでもよい。
【００４５】
携帯電話端末１は、報知情報Ｎ２の表示を中止または延期する操作が検出された場合であっても、災害に関する情報のように緊急度の高い情報については、表示による報知を行う。図１１は、緊急度の高いメールの着信時に実行される報知の一例を示す図である。図１１に示すステップＳＧ１では、ブラウザ画面がタッチパネル３２に表示されている。ここで、携帯電話端末１に緊急度の高いメールが着信すると、携帯電話端末１は、ステップＳＧ２に示すように、タッチパネル３２の端部に報知記号Ｎ１を表示する。なお、メールの緊急度は、例えば、メールの送信元、件名、またはメールヘッダ中の他の項目の値から判定される。
【００４６】
ここで、ステップＳＧ３に示すように、利用者の指Ｆ１が報知記号Ｎ１の表示位置をタップする操作、すなわち、表示を中止または延期させる操作が検出されたものとする。このような中止または延期のための操作が検出された場合でも、報知すべき情報の緊急度が予め設定された値よりも高い場合、携帯電話端末１は、ステップＳＧ４に示すように、着信したメールの内容を示す報知情報Ｎ３をスクロールさせる。この場合、タッチパネル３２をタップする指にさえぎられて報知情報Ｎ３が見にくくなることを避けるため、報知記号Ｎ１の表示位置とは異なる位置から報知情報Ｎ３のスクロールを開始することが可能である。また、緊急度が高いことを示すため、報知記号Ｎ１および報知情報Ｎ３を通常時とは異なる態様で表示することが可能である。
【００４７】
このように、緊急度の高い情報を強制的に報知することにより、利用者に緊急度の高い情報が伝わらない事態の発生を抑止することができる。なお、緊急度の高い情報の強制的な報知は、報知を中止または延期させる操作がスクロールの開始後に検出された場合にも行われる。緊急度の高い情報を報知する場合は、中止または延期させる操作を受け付けず、報知を継続させることも可能である。なお、携帯電話端末１では、緊急度の高い報知情報Ｎ２を知らせる場合、中止および延期させる操作を受け付けず、強制的に報知するフローを採用している。
【００４８】
次に、図１２を参照しながら、報知処理の処理手順について説明する。図１２は、第１の実施例における報知処理の処理手順を示すフローチャートである。図１２に示す処理手順は、制御部２２が制御プログラム２４ａを実行することによって実現される。
【００４９】
図１２に示すように、制御部２２は、まず、ステップＳ１０１として、報知要求を取得すると、ステップＳ１０２として、報知記号（第１の情報）を表示することによって事前報知を実行する。報知要求は、メールの着信のように、利用者への報知が必要な状況が生じた場合に生成される。そして、制御部２２は、ステップＳ１０３として、待機時間が経過したかを判定する。
【００５０】
待機時間が経過していない場合（ステップＳ１０３，Ｎｏ）、制御部２２は、ステップＳ１０４として、報知すべき情報の緊急度が高いかを判定する。緊急度が高い場合（ステップＳ１０４，Ｙｅｓ）、制御部２２は、ステップＳ１０３以降を再実行する。緊急度が高くない場合（ステップＳ１０４，Ｎｏ）、制御部２２は、ステップＳ１０５として、中止操作が検出されたかを判定する。中止操作とは、報知情報Ｎ２の表示の中止を指示する操作である。中止操作が検出された場合（ステップＳ１０５，Ｙｅｓ）、制御部２２は、報知処理を終了させる。
【００５１】
中止操作が検出されない場合（ステップＳ１０５，Ｎｏ）、制御部２２は、ステップＳ１０６として、延期操作が検出されたかを判定する。延期操作とは、報知情報のスクロール開始の延期を指示する操作である。延期操作が検出された場合（ステップＳ１０６，Ｙｅｓ）、制御部２２は、ステップＳ１１４として、延期時間が経過するまで待機する。その後、制御部２２は、ステップＳ１０２以降を再実行する。延期操作が検出されない場合（ステップＳ１０６，Ｎｏ）、制御部２２は、ステップＳ１０３以降を再実行する。
【００５２】
待機時間が経過した場合（ステップＳ１０３，Ｙｅｓ）、制御部２２は、ステップＳ１０７として、報知情報（第２の情報）のスクロールを開始する。そして、制御部２２は、ステップＳ１０８として、報知情報Ｎ２のスクロールを継続させる。次に、制御部２２は、ステップＳ１０９として、報知情報Ｎ２のスクロールが完了したかを判定する。報知情報Ｎ２のスクロールが完了した場合（ステップＳ１０９，Ｙｅｓ）、制御部２２は、ステップＳ１１５として、報知情報を消去し、報知処理を終了させる。
【００５３】
報知情報Ｎ２のスクロールが完了していない場合（ステップＳ１０９，Ｎｏ）、制御部２２は、ステップＳ１１０として、報知情報Ｎ２の緊急度が高いかを判定する。緊急度が高い場合（ステップＳ１１０，Ｙｅｓ）、制御部２２は、ステップＳ１０８以降を再実行する。緊急度が高くない場合（ステップＳ１１０，Ｎｏ）、制御部２２は、ステップＳ１１１として、中止操作が検出されたかを判定する。ステップＳ１１１での中止操作は、ステップＳ１０５での中止操作と異なっていてもよい。中止操作が検出された場合（ステップＳ１１１，Ｙｅｓ）、制御部２２は、ステップＳ１１５として、報知情報を消去し、報知処理を終了させる。
【００５４】
中止操作が検出されない場合（ステップＳ１１１，Ｎｏ）、制御部２２は、ステップＳ１１２として、延期操作が検出されたかを判定する。ステップＳ１１２での延期操作は、ステップＳ１０６での延期操作と異なっていてもよい。延期操作が検出された場合（ステップＳ１１２，Ｙｅｓ）、制御部２２は、ステップＳ１１３として、報知情報を消去し、ステップＳ１１４として、延期時間が経過するまで待機する。その後、制御部２２は、ステップＳ１０２以降を再実行する。延期操作が検出されない場合（ステップＳ１１２，Ｎｏ）、制御部２２は、ステップＳ１０８以降を再実行する。
【００５５】
上述してきたように、第１の実施例では、携帯電話端末１が、事前報知を行った後に報知情報を表示することとした。また、第１の実施例では、携帯電話端末１が、事前報知中および報知情報の表示中に検出された操作に応じて、報知情報の表示を中止または延期することとした。このため、第１の実施例に係る携帯電話端末１は、利用者に報知すべき内容が伝わる確度を高めつつ、報知によって利用者の作業が阻害されることを抑止できる。
【００５６】
なお、上記の実施例では、ＷＥＢブラウジング中に報知が行われる場合について説明したが、携帯電話端末１は、ＷＥＢブラウジング中以外の状況においても同様に報知を行う。例えば、携帯電話端末１は、メールの編集中、動画の再生中等の状況においても、メールの着信等があった場合には、事前報知を行った後に報知情報を表示する。
【００５７】
また、上記の実施例では、報知の中止または延期のための操作をタッチパネル３２からの信号に基づいて検出することとしたが、携帯電話端末１は、報知の中止または延期のための操作を、操作部１３からの信号に基づいて検出してもよい。例えば、携帯電話端末１は、事前報知中および報知情報の表示中にボタン１３ａが押下された場合には報知を中止し、ボタン１３ｂが押下された場合には報知を延期してもよい。また、携帯電話端末１は、事前報知中および報知情報の表示中にボタン１３ａが短押下された場合には延期を中止し、ボタン１３ａが長押下された場合には報知を中止してもよい。また、携帯電話端末１にポインティングデバイスを設け、事前報知中および報知情報の表示中にポインティングデバイスからの信号に基づいて上記の実施例でのタップ、スイープまたはフリックに相当する操作が検出された場合に報知を中止または延期してもよい。
【００５８】
また、携帯電話端末１に加速度センサ、ジャイロセンサ、地磁気センサ等の姿勢または動きを検出する検出部を設け、検出された姿勢または動きの変化に基づいて報知の中止のための操作と延期のための操作とを識別してもよい。例えば、携帯電話端末１は、事前報知中および報知情報の表示中に自身が横に振られたときには報知を中止し、縦に振られたときには報知を延期する操作として採用することが可能である。この場合、携帯電話端末１全体が、利用者による操作を受け付ける操作部として機能する。
【００５９】
また、携帯電話端末１にカメラを設け、カメラによって撮影された映像に基づいて報知の中止のための操作と延期のための操作とを識別してもよい。例えば、携帯電話端末１は、事前報知中および報知情報の表示中に手を横に振る映像が撮影されたときには報知を中止し、手を開閉する映像が撮影されたときには報知を延期してもよい。この場合、カメラが、利用者による操作を受け付ける操作部として機能する。
【００６０】
また、携帯電話端末１に照度センサ、近接センサ等の携帯電話端末１にかざされる手を検出可能な検出部を設け、携帯電話端末１にかざされる手に基づいて報知の中止のための操作と延期のための操作とを識別してもよい。例えば、携帯電話端末１は、事前報知中および報知情報の表示中に閾値よりも長い時間手をかざされたときには報知を中止し、閾値よりも短い時間手をかざされたときには報知を延期してもよい。この場合、照度センサ、近接センサ等の検出部が、利用者による操作を受け付ける操作部として機能する。
【００６１】
また、携帯電話端末１を折り畳み式またはスライド式等の変形可能な筐体で構成し、筐体の形状の変化に基づいて報知の中止のための操作と延期のための操作とを識別してもよい。例えば、携帯電話端末１は、事前報知中および報知情報の表示中に筐体が開状態から閉状態に変化したときには報知を中止し、筐体が開状態から半開状態に変化したときには報知を延期してもよい。この場合、携帯電話端末１全体が、利用者による操作を受け付ける操作部として機能する。
【００６２】
また、携帯電話端末１は、タッチパネル３２が接触の圧力を検出することができる場合には、検出された接触の圧力に基づいて報知の中止のための操作と延期のための操作とを識別してもよい。例えば、携帯電話端末１は、事前報知中および報知情報の表示中に行われたタップ等の圧力が閾値よりも高いときには報知を中止し、圧力が閾値よりも低いときには報知を延期してもよい。
【００６３】
また、上記の実施例では、タッチパネル３２に情報を表示することによって利用者に対する報知を行うこととしたが、報知の仕方は上記の実施例に限定されない。例えば、音声または振動を用いて報知を行うこととしてもよい。
【００６４】
また、上記の実施例では、報知の中止または延期のための操作としてタップまたはフリック等を制御部２２が検出することとしたが、事前報知中および報知情報の表示中に制御部２２が検出する操作は上記の実施例に限定されない。図１３および図１４を参照しながら、事前報知中および報知情報の表示中に検出される操作の他の例について説明する。
【００６５】
図１３は、報知情報の表示中に検出される他の操作の一例を示す図である。図１３に示すステップＳＨ１では、ブラウザ画面がタッチパネル３２に表示されている。ここで、携帯電話端末１にメールが着信すると、携帯電話端末１は、ステップＳＨ２に示すように、タッチパネル３２の端部に報知記号Ｎ１を表示する。さらに、携帯電話端末１は、タッチパネル３２にゴミ箱アイコンＩＣ１および時計アイコンＩＣ２を表示する。そして、所定の時間の経過後、ステップＳＨ３に示すように、携帯電話端末１は、報知記号Ｎ１を消去し、報知情報Ｎ２のスクロールを開始する。
【００６６】
利用者は、報知情報Ｎ２の表示を希望しない場合、または、報知情報Ｎ２を途中まで見て報知が不要と判断した場合、ステップＳＨ４に示すように、報知情報Ｎ２の表示領域内でゴミ箱アイコンＩＣ１の方向へフリックを行う。携帯電話端末１は、報知情報Ｎ２の表示領域内でゴミ箱アイコンＩＣ１の方向へのフリックが検出されると、表示を中止する。その結果、ステップＳＨ５に示すように、報知情報Ｎ２は消去される。なお、このアイコンの表示は、タッチパネル３２へのタッチ操作が検出された後に表示してもよい。使用者が報知情報Ｎ２をタッチした場合、使用者が報知情報Ｎ２に関心を持っていることが想定され、逆にタッチしていない場合、使用者が報知情報Ｎ２に関心を持っていないことが想定される。この携帯端末機１では、タッチ操作の検出後に表示することによって、利用者によるＷＥＢページの閲覧を極力妨害することなく、関連するアイコンを表示することができる。
【００６７】
なお、携帯電話端末１は、ゴミ箱アイコンＩＣ１の方向へフリックではなく、報知情報Ｎ２の表示領域からゴミ箱アイコンＩＣ１までのスイープが検出された場合に同様に報知情報Ｎ２の表示を中止する。また、携帯電話端末１は、報知情報Ｎ２の表示領域内で時計アイコンＩＣ２の方向へのフリックが検出された場合、または、報知情報Ｎ２の表示領域から時計アイコンＩＣ２までのスイープが検出された場合には、報知情報Ｎ２の表示を延期する。
【００６８】
なお、図１３に示すアイコンの形状は一例であり、報知情報Ｎ２の表示の中止または延期に用いられるアイコンの形状はこの例に限定されない。また、他の用途のアイコンを更に表示してもよい。例えば、携帯電話端末１は、報知情報Ｎ２の表示領域内で所定のアイコンの方向へのフリックが検出された場合、または、報知情報Ｎ２の表示領域から所定のアイコンまでのスイープが検出された場合には、報知情報Ｎ２に対応するメールの内容をタッチパネル３２に表示してもよい。
【００６９】
図１４は、事前報知中に検出される他の操作の一例を示す図である。図１４に示すステップＳＩ１では、ブラウザ画面がタッチパネル３２に表示されている。ここで、携帯電話端末１にメールが着信すると、携帯電話端末１は、ステップＳＩ２に示すように、タッチパネル３２の端部に報知記号Ｎ１を表示する。
【００７０】
利用者は、報知情報Ｎ２の表示を希望しない場合、ステップＳＩ３に示すように、報知記号Ｎ１を押さえるように、報知記号Ｎ１の表示位置で指Ｆ１をタッチパネル３２に接触させる。携帯電話端末１は、報知記号Ｎ１の表示位置での接触が検出されると、表示を５分延期することを示すメッセージＭ１をタッチパネル３２に所定の期間表示する。この期間内に指Ｆ１がタッチパネル３２から離れたことが検出された場合、携帯電話端末１は、５分後に再び事前報知を行う。
【００７１】
所定の期間が経過しても指Ｆ１がタッチパネル３２に接触したままの場合、携帯電話端末１は、ステップＳＩ４に示すように、表示を１０分延期することを示すメッセージＭ２をタッチパネル３２に所定の期間表示する。この期間内に指Ｆ１がタッチパネル３２から離れたことが検出された場合、携帯電話端末１は、１０分後に再び事前報知を行う。
【００７２】
所定の期間が経過しても指Ｆ１がタッチパネル３２に接触したままの場合、携帯電話端末１は、ステップＳＩ５に示すように、表示を中止することを示すメッセージＭ３をタッチパネル３２に所定の期間表示する。この期間内に指Ｆ１がタッチパネル３２から離れたことが検出された場合、携帯電話端末１は、報知を中止する。所定の期間が経過しても指Ｆ１がタッチパネル３２に接触したままの場合、携帯電話端末１は、ステップＳＩ３の段階に戻る。
【００７３】
なお、報知を延期する時間の長さおよび段階数は図１４に示した例に限定されない。例えば、携帯電話端末１は、延期時間として、まず０分を提示し、次に１０分を提示し、次に２０分を提示してもよい。また、報知を延期する時間または中止を示すメッセージを表示する順序は任意でよい。また、利用者が延期および中止以外を選択できるようにしてもよい。例えば、携帯電話端末１は、「メール表示」というメッセージを所定の期間表示し、この期間内に指Ｆ１がタッチパネル３２から離れたことが検出された場合、報知情報Ｎ２に対応するメールの内容をタッチパネル３２に表示してもよい。
【００７４】
また、上記の実施例では、緊急度の高い情報については強制的に報知することとしたが、緊急度の高い情報についても報知を中止または延期できるようにしてもよい。なお、緊急度の高い情報の報知が意図せずに中止または延期されることを避けるため、緊急度の高い情報の報知を中止または延期するための操作は、通常の情報の報知を中止または延期するための操作と異ならせることが可能である。図１５を参照しながら、緊急度の高い情報の報知を中止または延期する操作の例について説明する。
【００７５】
図１５は、緊急度の高い情報の報知を中止または延期する操作の一例を示す図である。図１５に示すステップＳＪ１では、ブラウザ画面がタッチパネル３２に表示されている。ここで、携帯電話端末１にメールが着信すると、携帯電話端末１は、ステップＳＪ２に示すように、タッチパネル３２の端部に報知記号Ｎ１を表示する。
【００７６】
利用者は、ブラウザ画面で重要な情報を閲覧している等の理由で、緊急度の高い情報であっても報知によって閲覧を妨げられたくない場合、ステップＳＪ３に示すように、報知記号Ｎ１が表示されている辺全体を押さえるように、指Ｆ１をタッチパネル３２の右端に接触させる。この操作は、報知記号Ｎ１が表示されている辺のどこからもスクロールが開始されないように報知を妨害する動作のようであり、一切の報知を中止または延期させるための操作として直感的で分かりやすい。
【００７７】
携帯電話端末１は、報知記号Ｎ１が表示されている辺全体での接触が検出されると、緊急度に関わらず、報知を中止または延期する。その結果、ステップＳＪ４に示すように、報知情報Ｎ２は表示されない。
【実施例２】
【００７８】
以下に第２の実施例について説明する。第１の実施例では、報知が延期された場合に所定の期間待機することとしたが、待機する期間を状況に応じて動的に変更してもよい。第２の実施例では、待機する期間を状況に応じて動的に変更する例について説明する。なお、以下の説明では、既に説明した部分と同様の部分には既に説明した部分と同一の記号を付す。また、重複する説明は省略することがある。
【００７９】
まず、図１６を参照しながら、第２の実施例に係る携帯電話端末（電子機器）２の構成について説明する。図１６は、携帯電話端末２の機能的な構成を示すブロック図である。図１６に示すように、携帯電話端末２は、操作部１３と、マイク１５と、レシーバ１６と、制御部２２と、記憶部２４と、通信部２６と、音声処理部３０と、タッチパネル３２と、放送受信部３４とを有する。
【００８０】
放送受信部３４は、アンテナ３４ａを有し、テレビまたはラジオ等の放送を受信する。放送受信部３４は、受信した放送波に復調等の処理を施し、得られた信号を制御部２２に出力する。
【００８１】
第２の実施例において、記憶部２４に記憶されるプログラムには、制御プログラム２４ｄと、放送再生プログラム２４ｅとが含まれる。制御プログラム２４ｄは、携帯電話端末２を稼働させるための各種制御に関する機能を提供する。制御プログラム２４ｄが提供する機能には、利用者に対する各種情報の報知を制御する機能が含まれる。放送再生プログラム２４ｅは、放送受信部３４から入力される信号に基づいて映像の表示または音声の再生を行う機能を提供する。
【００８２】
次に、図１７を参照しながら、報知処理の処理手順について説明する。図１７は、第２の実施例における報知処理の処理手順を示すフローチャートである。図１７に示す処理手順は、放送の再生中に制御部２２が制御プログラム２４ｄを実行することによって実現される。
【００８３】
図１７に示すように、制御部２２は、まず、ステップＳ２０１として、報知要求を取得すると、ステップＳ２０２として、報知記号（第１の情報）を表示することによって事前報知を実行する。そして、制御部２２は、ステップＳ２０３として、待機時間が経過したかを判定する。
【００８４】
待機時間が経過していない場合（ステップＳ２０３，Ｎｏ）、制御部２２は、ステップＳ２０４として、報知すべき情報の緊急度が高いかを判定する。緊急度が高い場合（ステップＳ２０４，Ｙｅｓ）、制御部２２は、ステップＳ２０３以降を再実行する。緊急度が高くない場合（ステップＳ２０４，Ｎｏ）、制御部２２は、ステップＳ２０５として、中止操作が検出されたかを判定する。中止操作とは、報知情報の表示の中止を指示する操作である。中止操作が検出された場合（ステップＳ２０５，Ｙｅｓ）、制御部２２は、報知処理を終了させる。
【００８５】
中止操作が検出されない場合（ステップＳ２０５，Ｎｏ）、制御部２２は、ステップＳ２０６として、延期操作が検出されたかを判定する。延期操作とは、報知情報の表示の延期を指示する操作である。延期操作が検出された場合（ステップＳ２０６，Ｙｅｓ）、制御部２２は、ステップＳ２１４として、再生中の放送でコマーシャル（ＣＭ）が検出されるまで待機する。ＣＭの検出は、従来技術を用いて実現される。その後、制御部２２は、ステップＳ２０２以降を再実行する。延期操作が検出されない場合（ステップＳ２０６，Ｎｏ）、制御部２２は、ステップＳ２０３以降を再実行する。
【００８６】
待機時間が経過した場合（ステップＳ２０３，Ｙｅｓ）、制御部２２は、ステップＳ２０７として、報知情報（第２の情報）Ｎ２のスクロールを開始する。そして、制御部２２は、ステップＳ２０８として、報知情報Ｎ２のスクロールを継続させる。次に、制御部２２は、ステップＳ２０９として、報知情報Ｎ２のスクロールが完了したかを判定する。報知情報Ｎ２のスクロールが完了した場合（ステップＳ２０９，Ｙｅｓ）、制御部２２は、ステップＳ２１５として、報知情報を消去し、報知処理を終了させる。
【００８７】
報知情報Ｎ２のスクロールが完了していない場合（ステップＳ２０９，Ｎｏ）、制御部２２は、ステップＳ２１０として、報知すべき情報の緊急度が高いかを判定する。緊急度が高い場合（ステップＳ２１０，Ｙｅｓ）、制御部２２は、ステップＳ２０８以降を再実行する。緊急度が高くない場合（ステップＳ２１０，Ｎｏ）、制御部２２は、ステップＳ２１１として、中止操作が検出されたかを判定する。ステップＳ２１１での中止操作は、ステップＳ２０５での中止操作と異なっていてもよい。中止操作が検出された場合（ステップＳ２１１，Ｙｅｓ）、制御部２２は、ステップＳ２１５として、報知情報を消去し、報知処理を終了させる。
【００８８】
中止操作が検出されない場合（ステップＳ２１１，Ｎｏ）、制御部２２は、ステップＳ２１２として、延期操作が検出されたかを判定する。ステップＳ２１２での延期操作は、ステップＳ２０６での延期操作と異なっていてもよい。延期操作が検出された場合（ステップＳ２１２，Ｙｅｓ）、制御部２２は、ステップＳ２１３として、報知情報を消去し、ステップＳ２１４として、再生中の放送でＣＭが検出されるまで待機する。その後、制御部２２は、ステップＳ２０２以降を再実行する。延期操作が検出されない場合（ステップＳ２１２，Ｎｏ）、制御部２２は、ステップＳ２０８以降を再実行する。
【００８９】
上述してきたように、第２の実施例では、携帯電話端末２は、報知が延期された場合に、再生中の放送でＣＭが検出されたタイミングで報知を再実行する。このため、第２の実施例に係る携帯電話端末２は、報知によって利用者による放送の視聴が阻害されることを抑止できる。
【００９０】
なお、待機する期間を状況に応じて動的に変更する場合、延期された報知を再実行するタイミングは、再生中の放送でＣＭが検出されたタイミングに限定されない。利用者の作業が中断されるタイミングを検出して報知を再実行することにより、報知によって利用者の作業が阻害されることを抑止できる。利用者の作業が中断されるタイミングは、利用者に提供する情報が切り替わるタイミング、例えば、タッチパネル３２に表示される画面が切り替わるタイミングである。
【実施例３】
【００９１】
以下に第３の実施例について説明する。第１の実施例では、メールの着信を報知する場合について説明したが、本発明は、メールの着信以外の報知にも利用することができる。例えば、本発明は、電話が着信した場合、登録したスケジュールの通知時刻が到来した場合、電池残量が所定値以下となった場合等に、報知を行うために利用できる。第３の実施例では、メールの着信以外の報知の例について説明する。
【００９２】
まず、図１８を参照しながら、第３の実施例に係る携帯電話端末（電子機器）３の構成について説明する。図１８は、携帯電話端末３の機能的な構成を示すブロック図である。図１８に示すように、携帯電話端末３は、操作部１３と、マイク１５と、レシーバ１６と、制御部２２と、記憶部２４と、通信部２６と、音声処理部３０と、タッチパネル３２とを有する。
【００９３】
第３の実施例において、記憶部２４に記憶されるプログラムには、制御プログラム２４ｆと、再生プログラム２４ｇとが含まれる。制御プログラム２４ｆは、携帯電話端末３を稼働させるための各種制御に関する機能を提供する。制御プログラム２４ｆが提供する機能には、利用者に対する各種情報の報知を制御する機能が含まれる。再生プログラム２４ｇは、音楽データまたは映像データの再生を行う機能を提供する。再生される音楽データまたは映像データは、記憶部２４に記憶されていてもよいし、通信部２６による無線通信によってサーバ装置等の他の装置から取得することとしてもよい。
【００９４】
次に、図１９を参照しながら、制御プログラム２４ｆが提供する報知機能に基づいて実行される各種情報の報知の例について説明する。図１９は、音楽データの再生中に実行される報知の一例を示す図である。図１９に示すステップＳＫ１では、再生プログラム２４ｇが提供する機能に基づく音楽再生画面がタッチパネル３２に表示されている。すなわち、ステップＳＫ１の場面では、利用者は、音楽を楽しむために携帯電話端末３を利用している。
【００９５】
再生中の曲が終わりにさしかかると、携帯電話端末３は、ステップＳＫ１に示すように、タッチパネル３２の一部、例えば、タッチパネル３２の右端に報知記号（第１の情報）Ｎ１を表示する。報知記号Ｎ１を所定の時間表示した後、携帯電話端末３は、ステップＳＫ２に示すように、次に再生される曲の演奏者および曲名を含む報知情報（第２の情報）Ｎ４を、例えば、右から左へスクロールし始める。このとき、携帯電話端末３は、タッチパネル３２に詳細表示アイコンＩＣ３を表示する。
【００９６】
利用者が特に操作を行わない場合、ステップＳＫ３に示すように、スクロールが最後まで行われ、現在の曲の再生が終了した後に次の曲の再生が開始される。このように、携帯電話端末３は、次に再生される曲を報知するために、事前報知と報知情報の表示とを行う。
【００９７】
利用者は、報知情報Ｎ４が示す曲を聴きたくない場合、ステップＳＫ４に示すように、報知情報Ｎ４の表示領域でスクロール方向へのフリックを行う。携帯電話端末３は、報知情報Ｎ４の表示領域でスクロール方向へのフリックが検出されると、ステップＳＫ５に示すように、報知情報Ｎ４が示す曲を飛ばして、その次の曲の再生を開始する。このとき、携帯電話端末３は、再生が開始された曲を示す報知情報Ｎ５を表示させてもよい。また、携帯電話端末３は、報知情報Ｎ５の表示領域でスクロール方向へのフリックが検出された場合に、さらに次の曲の再生を開始してもよい。
【００９８】
また、利用者は、再生が終わりにさしかかっている曲をもう一度聴きたい場合、ステップＳＫ６に示すように、報知情報Ｎ４の表示領域でスクロール方向と逆方向へのフリックを行う。携帯電話端末３は、報知情報Ｎ４の表示領域でスクロール方向と逆方向へのフリックが検出されると、ステップＳＫ７に示すように、再生が終わりにさしかかっている曲を最初から再生する。
【００９９】
また、利用者は、報知情報Ｎ４が示す曲の詳細な情報を知りたい場合、ステップＳＫ８に示すように、報知情報Ｎ４の表示領域から詳細表示アイコンＩＣ３までのスイープを行う。携帯電話端末３は、報知情報Ｎ４の表示領域から詳細表示アイコンＩＣ３までのスイープが検出されると、ステップＳＫ９に示すように、報知情報Ｎ４が示す曲の詳細な情報をタッチパネル３２に表示する。
【０１００】
上述してきたように、第３の実施例では、本発明を音楽データの再生に利用する例を示した。本発明を音楽データの再生に利用することにより、利用者に有用な情報を提供しつつ、直感的で分かりやすい操作性を実現することができる。なお、図１９で示した操作は一例であり、操作の種類および方向等は適宜変更してよい。
【実施例４】
【０１０１】
以下に第４の実施例について説明する。まず、図２０を参照しながら、第４の実施例に係る携帯電話端末（電子機器）４の構成について説明する。図２０は、携帯電話端末４の機能的な構成を示すブロック図である。図２０に示すように、携帯電話端末４は、操作部１３と、マイク１５と、レシーバ１６と、制御部２２と、記憶部２４と、通信部２６と、音声処理部３０と、タッチパネル３２とを有する。
【０１０２】
第４の実施例において、記憶部２４に記憶されるプログラムには、制御プログラム２４ｈと、メールプログラム２４ｉとが含まれる。制御プログラム２４ｈは、携帯電話端末４を稼働させるための各種制御に関する機能を提供する。制御プログラム２４ｈが提供する機能には、利用者に対する各種情報の報知を制御する機能が含まれる。メールプログラム２４ｉは、電子メール機能を提供する。
【０１０３】
次に、図２１を参照しながら、制御プログラム２４ｈが提供する報知機能に基づいて実行される各種情報の報知の例について説明する。図２１は、メールの着信時に実行される報知の一例を示す図である。図２１に示すステップＳＬ１では、標準画面（デスクトップ、ホーム画面、または壁紙ともいう）がタッチパネル３２に表示されている。この標準画面には、種々のアプリケーションを起動するアイコンが配列されている。
【０１０４】
ここで、携帯電話端末４にメールが着信すると、携帯電話端末４は、ステップＳＬ２に示すように、タッチパネル３２の一部、例えば、タッチパネル３２の右端に報知記号（第１の情報）Ｎ１を表示する。続いて、携帯電話端末４は、ステップＳＬ３に示すように、着信したメールの送信者および件名を含む報知情報（第２の情報）Ｎ６を、例えば、右から左へスクロールさせる。これにより、利用者は、着信したメールの概要を知ることができる。
【０１０５】
報知情報Ｎ６のスクロールが完了すると、携帯電話端末４は、ステップＳＬ４に示すように、着信したメールに対応するメールアイコンＩＣ４をタッチパネル３２の上部に表示する。また、携帯電話端末４は、タッチパネル３２の下部に、受信フォルダＡに対応するフォルダアイコンＩＣ５と、受信フォルダＢに対応するフォルダアイコンＩＣ６と、転送機能に対応する転送アイコンＩＣ７とを表示する。
【０１０６】
利用者が特に操作を行わない場合、メールアイコンＩＣ４は、既定の振り分けルールに従って決定された受信フォルダに対応するアイコンの表示位置まで、画面上を移動するようにアニメーション表示される。例えば、既定の振り分けルールによれば今回着信したメールが受信フォルダＡに格納される場合、ステップＳＬ５に示すように、メールアイコンＩＣ４は、フォルダアイコンＩＣ５へ向けて移動する。そして、メールアイコンＩＣ４は、フォルダアイコンＩＣ５内に格納され、ステップＳＬ６に示すように、受信フォルダＡの格納数が更新される。
【０１０７】
利用者が、着信したメールを意図的に受信フォルダＢに格納したい場合、利用者は、ステップＳＬ７に示すように、メールアイコンＩＣ４をフォルダアイコンＩＣ６までドラッグする。携帯電話端末４は、メールアイコンＩＣ４がフォルダアイコンＩＣ６までドラッグされたことを検出すると、既定の振り分けルールを無視して、着信したメールを受信フォルダＢに格納する。そして、携帯電話端末４は、ステップＳＬ８に示すように、受信フォルダＢの格納数を更新する。
【０１０８】
また、利用者が、着信したメールを転送したい場合、利用者は、ステップＳＬ９に示すように、メールアイコンＩＣ４を転送アイコンＩＣ７までドラッグする。携帯電話端末４は、メールアイコンＩＣ４が転送アイコンＩＣ７までドラッグされたことを検出すると、ステップＳＬ１０に示すように、着信したメールを転送するための画面をタッチパネル３２に表示する。なお、携帯電話端末４は、着信したメールを、既定の振り分けルールに従って受信フォルダに格納してもよい。
【０１０９】
また、利用者が、着信したメールを不要だと判断した場合、利用者は、ステップＳＬ１１に示すように、メールアイコンＩＣ４の表示領域でいずれのアイコンも存在しない方向へフリックを行う。携帯電話端末４は、メールアイコンＩＣ４の表示領域でいずれのアイコンも存在しない方向へのフリックが検出されると、着信したメールを削除する。その結果、ステップＳＬ１２に示すように、各受信フォルダの格納数は更新されない。なお、この場合、携帯電話端末４は、メールを削除する代わりに、メールをゴミ箱フォルダに格納してもよい。
【０１１０】
なお、上記の各実施例で示した本発明の態様は、本発明の要旨を逸脱しない範囲で任意に変更することができる。また、上記の実施例を適宜組み合わせてもよい。例えば、上記の実施例で示した制御プログラム２４ａ等のプログラムは、複数のモジュールに分割されていてもよいし、他のプログラムと統合されていてもよい。また、上記の実施例では、タッチパネル３２に対する操作を指で行うこととしたが、スタイラスおよびペンで操作を行ってもよい。
【符号の説明】
【０１１１】
１〜４  携帯電話端末
１３  操作部
１５  マイク
１６  レシーバ
２２  制御部
２４  記憶部
２４ａ、２４ｄ、２４ｆ、２４ｈ  制御プログラム
２４ｂ、２４ｉ  メールプログラム
２４ｃ  ブラウザプログラム
２４ｅ  放送再生プログラム
２４ｇ  再生プログラム
２６  通信部
３０  音声処理部
３２  タッチパネル
３２ａ  表示部（報知部）
３２ｂ  タッチセンサ（操作部）
３４  放送受信部
【図１】
0005873951.tif 000002
【図２】
0005873951.tif 000003
【図３】
0005873951.tif 000004
【図４】
0005873951.tif 000005
【図５】
0005873951.tif 000006
【図６】
0005873951.tif 000007
【図７】
0005873951.tif 000008
【図８】
0005873951.tif 000009
【図９】
0005873951.tif 000010
【図１０】
0005873951.tif 000011
【図１１】
0005873951.tif 000012
【図１２】
0005873951.tif 000013
【図１３】
0005873951.tif 000014
【図１４】
0005873951.tif 000015
【図１５】
0005873951.tif 000016
【図１６】
0005873951.tif 000017
【図１７】
0005873951.tif 000018
【図１８】
0005873951.tif 000019
【図１９】
0005873951.tif 000020
【図２０】
0005873951.tif 000021
【図２１】
0005873951.tif 000022